(57)【要約】【課題】外部接続機器の取付作業性を向上させることのできるフロアパネルシステムを得る。【解決手段】フロアパネルシステム１は、基礎床２上に配置される複数の支柱３と、これらの支柱３を介して基礎床２上に敷設される矩形の複数のフロアパネル４と、を備えており、フロアパネル４の伝送線６と支柱３とによって、フロアパネルシステム１内に伝送路７が形成されている。そして、支柱３の載置台３ｃの上面に設けた十字状の位置決め壁３ｄの中心部にアウトレット９を接続する接続凹部３１を設け、その接続凹部３１にアウトレット９の接続具１１を必要に応じて着脱自在に差し込むことができるようにすることで、アウトレット９を取り付ける際のフロアパネル４の切断加工作業を不要にした。【選択図】図１
2010106469.tif 000002
【特許請求の範囲】
【請求項１】
基礎床上に載置される複数の支柱と、これら支柱に支持されて床下空間が形成されるように敷設される複数のフロアパネルと、前記支柱間に設けられ、当該支柱に電気的且つ光学的若しくは電気的または光学的に接続される伝送媒体と、を備えるフロアパネルシステムであって、
前記複数のフロアパネルを敷設した状態で隣り合うフロアパネルの間に、前記支柱を介して前記伝送媒体と電気的且つ光学的若しくは電気的または光学的に接続されるとともに、外部接続機器を接続可能な接続部を設けたことを特徴とするフロアパネルシステム。
【請求項２】
前記接続部を前記支柱に設けたことを特徴とする請求項１に記載のフロアパネルシステム。
【請求項３】
前記接続部が、アウトレットを差し込む差込口を有するジョイントボックスであることを特徴とする請求項１または請求項２に記載のフロアパネルシステム。
【請求項４】
前記支柱を前記基礎床上に載置される導体シート上に設置し、当該導体シート上に設置された支柱同士を電気的に接続したことを特徴とする請求項１〜３のうちいずれか１項に記載のフロアパネルシステム。
【請求項５】
前記複数の支柱のうち少なくとも２つの支柱の脚部同士を連結部材を介して連結し、連結された支柱同士を電気的且つ光学的若しくは電気的または光学的に接続したことを特徴とする請求項１〜３のうちいずれか１項に記載のフロアパネルシステム。
【請求項６】
前記支柱間に第１のストリンガーを架設するとともに、当該第１のストリンガーに前記接続部を設け、当該第１のストリンガーを介して前記支柱と前記接続部とを電気的且つ光学的若しくは電気的または光学的に接続したことを特徴とする請求項１に記載のフロアパネルシステム。
【請求項７】
前記支柱に導通部を設けるとともに、当該支柱間に導体が設けられた第２のストリンガーを架設し、前記支柱の導通部と前記第２のストリンガーの導体とを接触させることで、少なくとも２つの支柱を電気的に接続しており、
前記支柱の導通部と前記第２のストリンガーの導体のうちの少なくとも一方を、柔軟性を有する部材で形成したことを特徴とする請求項１に記載のフロアパネルシステム。
【発明の詳細な説明】
【技術分野】
【０００１】
本発明は、支柱を介して基礎床上に複数のフロアパネルを敷設することで二重床を構築するフロアパネルシステムに関する。
【背景技術】
【０００２】
従来、フロアパネルシステムとして、フロアパネルを基礎床上に支柱を介して敷設することで二重床構造を形成したものが知られている（例えば、特許文献１参照）。
【０００３】
この特許文献１では、複数種類の配線機器の形状に沿った複数の切欠き指示線を予めマークしたフロアパネルを用い、取り付けようとする配線機器の形状に対応した切欠部を形成することで、一種類のフロアパネルで種々の配線機器の取付を行い、アウトレット等の外部接続機器を接続させることができるようにしている。
【特許文献１】特開平５−１０３４１０号公報
【発明の開示】
【発明が解決しようとする課題】
【０００４】
しかしながら、従来のフロアパネルシステムでは、取り付ける配線機器の形状に応じて、かかる配線機器に該当する切欠き支持線に沿ってフロアパネルを切断しなければならず、配線機器の取付作業、ひいては、外部接続機器の取付作業が煩雑になってしまい作業効率が低下してしまうおそれがある。
【０００５】
そこで、本発明は、外部接続機器の取付作業性を向上させることのできるフロアパネルシステムを得ることを目的とする。
【課題を解決するための手段】
【０００６】
請求項１の発明にあっては、基礎床上に載置される複数の支柱と、これら支柱に支持されて床下空間が形成されるように敷設される複数のフロアパネルと、前記支柱間に設けられ、当該支柱に電気的且つ光学的若しくは電気的または光学的に接続される伝送媒体と、を備えるフロアパネルシステムであって、前記複数のフロアパネルを敷設した状態で隣り合うフロアパネルの間に、前記支柱を介して前記伝送媒体と電気的且つ光学的若しくは電気的または光学的に接続されるとともに、外部接続機器を接続可能な接続部を設けたことを特徴とする。
【０００７】
請求項２の発明にあっては、請求項１に記載のフロアパネルシステムにおいて、前記接続部を前記支柱に設けたことを特徴とする。
【０００８】
請求項３の発明にあっては、請求項１または請求項２に記載のフロアパネルシステムにおいて、前記接続部が、アウトレットを差し込む差込口を有するジョイントボックスであることを特徴とする。
【０００９】
請求項４の発明にあっては、請求項１〜３のうちいずれか１項に記載のフロアパネルシステムにおいて、前記支柱を前記基礎床上に載置される導体シート上に設置し、当該導体シート上に設置された支柱同士を電気的に接続したことを特徴とする。
【００１０】
請求項５の発明にあっては、請求項１〜３のうちいずれか１項に記載のフロアパネルシステムにおいて、前記複数の支柱のうち少なくとも２つの支柱の脚部同士を連結部材を介して連結し、連結された支柱同士を電気的且つ光学的若しくは電気的または光学的に接続したことを特徴とする。
【００１１】
請求項６の発明にあっては、請求項１に記載のフロアパネルシステムにおいて、前記支柱間に第１のストリンガーを架設するとともに、当該第１のストリンガーに前記接続部を設け、当該第１のストリンガーを介して前記支柱と前記接続部とを電気的且つ光学的若しくは電気的または光学的に接続したことを特徴とする。
【００１２】
請求項７の発明にあっては、請求項１に記載のフロアパネルシステムにおいて、前記支柱に導通部を設けるとともに、当該支柱間に導体が設けられた第２のストリンガーを架設し、前記支柱の導通部と前記第２のストリンガーの導体とを接触させることで、少なくとも２つの支柱を電気的に接続しており、前記支柱の導通部と前記第２のストリンガーの導体のうちの少なくとも一方を、柔軟性を有する部材で形成したことを特徴とする。
【発明の効果】
【００１３】
請求項１の発明によれば、複数のフロアパネルを敷設した状態で隣り合うフロアパネルの間に、支柱を介して伝送媒体と電気的且つ光学的若しくは電気的または光学的に接続されるとともに、外部接続機器を接続可能な接続部を設けたため、必要に応じて外部接続機器を接続部に接続するだけで伝送媒体を介して電力や情報信号を外部接続機器に伝送することができる。その結果、フロアパネルを切断するなどの加工作業を行うことなく外部接続機器を接続することができ、外部接続機器の取付作業性を向上させることができる。
【００１４】
請求項２の発明によれば、接続部を支柱に設けたため、簡単な構成とすることができるとともに、外部接続機器の取付作業性を向上させることができる。
【００１５】
請求項３の発明によれば、接続部をジョイントボックスとして支柱の上端部に一体に結合したため、ジョイントボックスの差込口に容易に外部接続機器を差し込むことができ、外部接続機器の接続作業が容易になる。
【００１６】
請求項４の発明によれば、支柱を電気導体シートに電気的に導通して載置したことにより、各支柱を電気的に接続できる。これにより、伝送媒体をフロアパネルに設ける必要が無くなるため、フロアパネルの構造を簡素化して安価なフロアパネルシステムを得ることができる。
【００１７】
請求項５の発明によれば、複数の支柱のうち少なくとも２つの支柱の脚部同士を連結部材を介して連結したため、伝送媒体をフロアパネルに設ける必要が無くなり、フロアパネルの構造を簡素化して安価なフロアパネルシステムを提供することができる。
【００１８】
請求項６の発明によれば、支柱間に第１のストリンガーを架設するとともに、当該第１のストリンガーに接続部を設けたので、伝送媒体をフロアパネルに設ける必要が無くなり、フロアパネルの構造を簡素化して安価なフロアパネルシステムを提供することができる。また、接続部をストリンガーに設けることで、支柱の構造を簡素化することができる。
【００１９】
請求項７の発明によれば、支柱の導通部と第２のストリンガーの導体のうちの少なくとも一方を、柔軟性を有する部材で形成したため、支柱の導通部と第２のストリンガーの導体との寸法誤差の許容量を増大することができ、支柱と第２のストリンガーとの接触不良を抑制できる。
【発明を実施するための最良の形態】
【００２０】
［第１の実施形態］
本発明の第１の実施形態について図面を参照しながら説明する。図１は、本実施形態にかかるフロアパネルシステムを概略的に示す斜視図、図２は、フロアパネルシステムの支柱とアウトレットとの接続部分を示す拡大斜視図である。
【００２１】
まず、フロアパネルシステム１の概要を説明する。図１に示すように、フロアパネルシステム１は、基礎床２上に配置される複数の支柱３と、これらの支柱３を介して基礎床２上に碁盤の目状に敷設される矩形の複数のフロアパネル４と、を備えている。フロアパネル４は、その４隅が支柱３によって支持されるようになっており、隣合うフロアパネル４の隣合う隅同士は、同一の支柱３によって支持される。このフロアパネルシステム１と基礎床２とによって、フロアパネル４と基礎床２との間に空間（床下空間）５を有する二重床が形成される。
【００２２】
フロアパネル４には、伝送物を伝送する伝送媒体である伝送線６が設けられている。ここで、便宜上、図面において伝送線６は単に線で示してある。伝送線６は、フロアパネル４の中心部を挟んで相互に対向するフロアパネル４の隅同士を結ぶように配置されており、全体でＸ字状を成している。隣合うフロアパネル４の伝送線６同士は、支柱３の導体部を介して接続され、これらの伝送線６及び導体部等によって、フロアパネルシステム１内に伝送路７が形成される。この伝送路７には、伝送物管理装置８やアウトレット（外部接続機器）９が接続可能となっており、アウトレット９に接続された電気機器（図示せず）と伝送物管理装置８とが伝送路７（伝送線６）を介して接続されるようになっている。
【００２３】
フロアパネルシステム１が伝送路７によって伝送する伝送物は、電力と情報信号との少なくとも一方である。つまり、伝送物は、電力のみ、情報信号のみ、又は、電力と情報信号との両方である。フロアパネルシステム１は、電力を伝送する場合には、電力供給システムとして機能し、情報信号を伝送する場合には、情報伝送システムとして機能し、電力と情報信号との両方を伝送する場合には、電力・情報複合システムとして機能する。
【００２４】
電力は、交流又は直流であり、情報信号は、アナログ信号やデジタル信号である。情報信号は、具体的には、ＬＡＮ用信号、ｘＤＳＬ用信号、テレビジョン受像機用信号、電話機用信号、電気機器用制御信号等であり、これらの信号は電気信号又は光信号によって構成される。情報信号は、電力と別体又は一体に伝送され、情報信号が電力と一体に伝送される場合には、情報信号が重畳された交流や直流が用いられる。
【００２５】
伝送物管理装置８は、電力を供給可能な電源装置、情報を送受信可能なサーバ、又は、それら電源装置及びサーバの両方の機能を有する複合装置等である。なお、図１には、伝送物管理装置８として電源装置を例示してある。
【００２６】
伝送線６は、伝送物が電力である場合には、電力を伝送可能な電源線が用いられ、伝送物が情報信号である場合には、情報信号を伝送可能なメタル線や光通信線等の情報通信線が用いられる。また、伝送物が電力と情報信号との両方である場合には、伝送線６は、電源線と情報通信線との２系統で構成されるか、又は、電源線だけの１系統で構成される。伝送線６が電源線だけの１系統で構成される場合には、この電源線によって、情報信号が重畳された交流や直流が伝送される。
【００２７】
アウトレット９は、伝送物が電力である場合には、交流用コンセントや、直流用コンセント、特定の電気機器用の専用端子等の電力用アウトレットが用いられる。なお、図１には、アウトレット９として交流用コンセントを例示してある。交流用コンセントや直流用コンセントには、電源用フロアコンセントやテーブルタップ、各種電気機器が接続可能である。電源用フロアコンセント及びテーブルタップは、伝送される電力に応じて、交流用、直流用又は交流・直流両用のいずれかが用いられる。
【００２８】
また、アウトレット９は、伝送物が情報信号である場合には、情報コンセントや、特定の電気機器用の専用端子等の情報用アウトレットが用いられる。情報コンセントは、具体的には、ＬＡＮ用コンセントや、テレビジョン受像機用コンセント、電話機用コンセント、光コネクタ、複合コンセント等である。複合コンセントは、ＬＡＮ用コンセントや、テレビジョン受像機用コンセント、電話機用コンセント、光コネクタ等の種類が異なる２つ以上のコネクタを一体に備えるコンセントである。情報用アウトレットには、情報用フロアコンセントやテーブルタップ、無線通信端末、ＬＡＮ機器、コンピュータ、テレビジョン受像機、電話機等の各種電気機器が接続可能である。
【００２９】
また、アウトレット９は、伝送物が電力と情報信号との両方の場合には、伝送線６の種類に応じて、上述した電力用アウトレット及び情報用アウトレットの両方や、電力用アウトレット及び情報用アウトレットを一体化した複合アウトレット、特定の電気機器用の専用端子が用いられる。複合アウトレットには、電源・情報複合フロアコンセントやテーブルタップ、無線通信端末、ＬＡＮ機器、コンピュータ、テレビジョン受像機、電話機等の各種電気機器が接続可能である。
【００３０】
本実施形態では、フロアパネル４は、矩形板状に形成されて内部空間を有するパネル本体４Ｍを骨格部材として備えており、このパネル本体４Ｍ内に伝送線６が設けられている。
【００３１】
支柱３は、図２に示すように、基礎床２に載置するベース部３ａと、このベース部３ａの中央部から立設する脚部としてのねじ脚３ｂと、このねじ脚３ｂの上端部に螺着されるフロアパネル４の載置台３ｃと、を備えている。載置台３ｃは矩形状に形成されており、当該載置台３ｃの上面に４つの仕切壁３ｈを十字状に配置した位置決め壁３ｄを突設しており、位置決め壁３ｄで仕切られた載置台３ｃの４箇所の上面隅部３ｇに、互いに突き合わせる４枚のフロアパネル４の角部を載置するようになっている。このとき、フロアパネル４の角部の両側部は、位置決め壁３ｄの肉厚を考慮して肉厚の半分の幅をもって切除されており、隣接するフロアパネル４間に隙間が設けられることなく、それぞれのフロアパネル４の側面どうしが密接できるようになっている。
【００３２】
ここで、本実施形態にあっては、図２に示すように、複数のフロアパネル４を敷設した状態で隣り合うフロアパネル４，４の間に、支柱３を介して伝送線６と電気的且つ光学的若しくは電気的または光学的に接続されるとともに、アウトレット９を接続可能な接続部としての接続凹部３１が、支柱３に設けられている。
【００３３】
接続凹部３１は、十字状に突設した位置決め壁３ｄの中心部上面を凹設して形成してあり、その接続凹部３１にアウトレット９の接続具１１を着脱自在に差し込むことができるようになっている。本実施形態では、接続具１１は、接続凹部３１の内側断面形状にほぼ沿った直方体状に形成されており、接続具１１とアウトレット９とがハーネス９Ｈを介して接続されている。そして、接続具１１を接続凹部３１に差し込むことにより、アウトレット９が支柱３および接続凹部３１を介して伝送線６に電気的且つ光学的若しくは電気的または光学的に接続される。
【００３４】
以上の本実施形態によれば、複数のフロアパネル４を敷設した状態で隣り合うフロアパネル４，４の間に、支柱３を介して伝送線（伝送媒体）６と電気的且つ光学的若しくは電気的または光学的に接続されるとともに、アウトレット（外部接続機器）９を接続可能な接続凹部（接続部）３１を設けたため、必要に応じてアウトレット９を接続凹部３１に接続するだけで伝送線６を介して電力や情報信号をアウトレット９に伝送することができる。その結果、フロアパネル４を切断するなどの加工作業を行うことなくアウトレット９を接続することができ、アウトレット９の取付作業性を向上させることができる。
【００３５】
また、本実施形態によれば、接続凹部３１を支柱３に設けたため、簡単な構成とすることができるとともに、アウトレット９の取付作業性を向上させることができる。
【００３６】
また、本実施形態によれば、フロアパネル４のパネル本体４Ｍ内に伝送線６を設けたことによって、フロアパネル４と基礎床２との間の空間５に配設する伝送線を少なくしたり無くすことができる。したがって、フロアパネル４のパネル本体４Ｍ内に伝送線６を設けずにフロアパネル４と基礎床２との間の空間５にのみ伝送線を配設する場合に比べて、フロアパネル４と基礎床２との間の空間５の高さを低くすることができ、フロアパネルシステム１の床面（上面）を低くすることができる。よって、室内空間の高さを高くして室内を広くすることができる。
【００３７】
また、フロアパネル４に伝送線６を一体に設けることによって、図１に示すように、フロアパネル４に電気機器９９を内蔵してその電気機器９９を伝送線６に接続したり、フロアパネル４外の電気機器（図示せず）を伝送線６に接続（以下、外部接続ともいう）することができ、これにより、そのフロアパネル４内外の電気機器９９の遠隔制御や使用をすることができる。このような構成の例を以下に説明する。
【００３８】
例えば、フロアパネル４に内蔵又は外部接続する電気機器９９として位置検出センサを採用することで、人の位置を検出することが可能となる。
【００３９】
また、フロアパネル４に内蔵又は外部接続する電気機器９９として空調機器を採用することで、温度や湿度などの室内空気環境を個別制御することが可能となる。
【００４０】
また、フロアパネル４に内蔵又は外部接続する電気機器９９として照明器具を採用することで、室内照明を制御することが可能となる。
【００４１】
また、フロアパネル４に内蔵又は外部接続する電気機器９９として電力量センサを採用することで、フロアパネルシステム１内の電力量や電力分配を制御することが可能となる。
【００４２】
また、フロアパネル４に内蔵又は外部接続する電気機器９９として物体の有無を検出可能な荷重センサを採用することで、有形資産の位置を検出して管理することが可能となる。
【００４３】
また、フロアパネル４に内蔵又は外部接続する電気機器９９として、人を検出可能な人感センサを採用することで、不審者の存在（危険）を労働者に通知することが可能となる。この場合、例えば、フロアパネルシステム１を廊下に適用して、残業中の労働者に不審者が廊下にいるなどの危険を通知することが可能となる。
【００４４】
また、フロアパネル４に内蔵又は外部接続する電気機器９９として圧電素子を採用することで、電力を生み出してその電力を他の電気機器に供給することが可能となる。
【００４５】
図３は、アウトレット９を接続する接続部の第１の変形例を示す斜視図であり、本変形例では支柱３Ａの載置台３ｃの上面に十字状に突設した位置決め壁３ｄの中心部周りの外側に形成される４箇所の角部３２、つまり、位置決め壁３ｄを形成する４つの仕切壁３ｈがそれぞれ交わる角部３２を接続部として用いている。
【００４６】
他方、アウトレット９の接続具１１Ａは、上述の４箇所の角部３２に密接して差し込まれる４本の足部１１ａを有する踏み台状に形成されており、接続具１１Ａとアウトレット９とがハーネス９Ｈを介して接続されている。そして、接続具１１Ａの足部１１ａを角部３２に差し込むことにより、アウトレット９が支柱３Ａを介して伝送路７に導通される。
【００４７】
図４は、アウトレット９を接続する接続部の第２の変形例を示す斜視図であり、本変形例では図２に示した第１の実施形態の接続部とほぼ同様に、支柱３Ｂの載置台３ｃに設けた十字状の位置決め壁３ｄの中心部上面に形成した接続凹部３１を接続部としているが、特に本変形例が第１の実施形態と異なる点は、接続凹部３１内にコンセント１３を設けるとともに、接続凹部３１の上面開口部を蓋３ｅによって閉塞することにある。蓋３ｅにはアウトレット９のハーネス９Ｈ（図２参照）を挿通する切欠部３ｆが形成されている。勿論、アウトレット９の接続具１１（図２参照）は、コンセント１３に差し込まれるプラグとなっている。
【００４８】
したがって、接続凹部３１のコンセント１３にアウトレット９のプラグを差し込むことにより、アウトレット９が支柱３Ｂを介して伝送路７に導通される。このとき、アウトレット９のプラグをコンセント１３に差し込んだ状態で、切欠部３ｆをハーネス９Ｈに挿通しつつ蓋３ｅで接続凹部３１の上面開口部を閉塞しておくことができる。
【００４９】
次に、フロアパネル４の変形例を説明する。以下の各変形例は、フロアパネル４に対して、伝送線６の配置が異なり、その他の構成は同じである。
【００５０】
図５は、本実施形態にかかるフロアパネルの第１の変形例を概略的に示す平面図である。図５に示す第１の変形例のフロアパネル４Ａでは、その外周の４辺の各縁部に、それらの辺に沿って伝送線６が設けられており、これらの伝送線６は全体で略矩形を成している。
【００５１】
図６は、本実施形態にかかるフロアパネルの第２の変形例を概略的に示す平面図である。図６に示す第２の変形例のフロアパネル４Ｂでは、その外周の隣合う２辺の各縁部に、それらの辺に沿って伝送線６が設けられており、これらの伝送線６が全体で略Ｌ字状を成している。
【００５２】
図７は、本実施形態にかかるフロアパネルの第３の変形例を概略的に示す平面図である。図７に示す第３の変形例のフロアパネル４Ｃでは、その外周の一つの辺の縁部に、その辺に沿って伝送線６が設けられており、伝送線６は直線状となっている。
【００５３】
これらの各種のフロアパネル４，４Ａ，４Ｂ，４Ｃを組み合わせることにより、フロアパネルシステム１の伝送路７の経路を多種多様に構築することができる。
【００５４】
［第２の実施形態］
本発明の第２の実施形態について図面を参照して説明する。図８は、本実施形態にかかるフロアパネルシステムの隣り合う支柱どうしを電気的に接続する構造を（ａ）の正面図と（ｂ）の平面図とによって概略的に示す説明図である。
【００５５】
本実施形態のフロアパネルシステム１Ａは基本的に第１の実施形態（図１参照）の構成と同様であるが、特に、本実施形態が第１の実施形態と主に異なる点は、支柱３Ｃの上端部に導通部としての載置台３ｃを設けるとともに、相互に電気的且つ光学的若しくは電気的または光学的に接続させようとする支柱３Ｃ（本実施形態では隣り合う支柱３Ｃ）の導通部３ｃに跨ってストリンガー（第１のストリンガー）１２を架設し、ストリンガー１２に接続部としてのジョイントボックス１３Ａを設けたことにある。ストリンガー１２は断面逆Ｕ字状に形成されており、上側内面および両側内面には帯板状の伝送線６ａが長手方向に連続して取り付けられている。
【００５６】
支柱３Ｃの載置台３ｃには、第１の実施形態と同様に、上面に４つの仕切壁３ｈを十字状に配置した位置決め壁３ｄを突設しており、断面逆Ｕ字状に形成したストリンガー１２の両端部を、隣り合う支柱３Ｃの対向した仕切壁３ｈに被せてある。これにより、ストリンガー１２の両側内面の伝送線６ａが仕切壁３ｈの両側に接触し、隣り合う支柱３Ｃがストリンガー１２を介して相互に相互に電気的且つ光学的若しくは電気的または光学的に接続される。
【００５７】
そして、ストリンガー１２の長手方向のほぼ中央部に上述したジョイントボックス１３Ａを取り付け、ジョイントボックス１３Ａと伝送線６ａとを電気的且つ光学的若しくは電気的または光学的に接続して、アウトレット９のプラグ１４を着脱自在に差し込むようになっている。
【００５８】
以上の本実施形態によれば、支柱３Ｃ間にストリンガー（第１のストリンガー）１２を架設するとともに、当該ストリンガー１２にジョイントボックス（接続部）１３Ａを設けたので、伝送媒体をフロアパネル４に設ける必要が無くなり、フロアパネル４の構造を簡素化して安価なフロアパネルシステム１を提供することができる。また、ジョイントボックス１３Ａをストリンガー１２に設けることで、支柱３Ｃの構造を簡素化することができる。
【００５９】
図９は、第２の実施形態に示したストリンガーの変形例を示し、同図（ａ）はストリンガーと支柱との分解斜視図、同図（ｂ）は（ａ）中Ａ−Ａ線に沿った拡大断面図である。本変形例のストリンガー（第２のストリンガー）１２Ａは、上記第２の実施形態のストリンガー１２と同様に断面逆Ｕ字状に形成されており、両端部を隣り合う支柱３Ｄの対向した仕切壁３ｈに被せてある。
【００６０】
ここで、本変形例が第２の実施形態と主に異なる点は、支柱３Ｄの導通部としての載置台３ｃとストリンガー１２Ａに設けた伝送線（導体）６ｂとを接触させることで、２つの支柱３Ｄ，３Ｄを電気的に接続し、支柱３Ｄの載置台３ｃとストリンガー１２Ａの伝送線６ｂと（支柱の導通部と第２のストリンガーの導体のうちの少なくとも一方）を、柔軟性を有する部材で形成したことにある。
【００６１】
本実施形態では、支柱３Ｄの載置台３ｃの少なくともストリンガー１２Ａが接触する部分を、弾力を有し、電気導通する導電性ゴム製の柔軟導通部材１５で形成している。なお、柔軟性を有する部材として、導電性ゴムを用いているが、これに限らず、柔軟な合成樹脂材等、電気導通するとともに柔軟性を有する他の部材を用いてもよい。
【００６２】
さらに、図９（ｂ）に示すように、ストリンガー１２Ａの上側内面および両側内面に長手方向に連続して取り付けられる伝送線６ｂも、上述の柔軟導通部材１５と同様に導電性ゴムで形成されている。
【００６３】
本変形例では、ストリンガー１２Ａの端部が被さる仕切壁３ｈの端部上面に、幅方向に連続する横溝１６が形成されるとともに、ストリンガー１２Ａの端部上側に、横溝１６に係合する係合部１７が凹設されており、それら横溝１６と係合部１７とが互いに係合することにより、ストリンガー１２Ａが長手方向にずれるのを抑えるようになっている。
【００６４】
以上の本変形例によれば、支柱３Ｄの載置台（導通部）３ｃの一部（少なくともストリンガー１２Ａが接触する部分）を導電性ゴム製の柔軟導通部材１５で形成するとともに、ストリンガー（第２のストリンガー）１２Ａの伝送線（導体）６ｂを導電性ゴムで形成することで、支柱３Ｄの載置台３ｃとストリンガー（第２のストリンガー）１２Ａの伝送線（導体）６ｂとの寸法誤差の許容量を増大することができ、支柱３Ｄとストリンガー１２Ａとの接触不良を抑制できる。
【００６５】
特に、ストリンガー１２Ａの内面に設けた伝送線６ｂを導電性ゴムで形成したので、その伝送線６ｂの弾力と相俟って仕切壁３ｈとストリンガー１２Ａとの接触部の寸法誤差の許容量をさらに増大できる。
【００６６】
［第３の実施形態］
本発明の第３の実施形態について図面を参照して説明する。図１０は、フロアパネルシステムを概略的に示す平面図、図１１は、支柱の拡大平面図、図１２は、支柱の拡大正面図である。
【００６７】
本実施形態のフロアパネルシステム１Ｂは基本的に第１の実施形態（図１参照）の構成と同様であるが、特に、本実施形態が第１の実施形態と主に異なる点は、アウトレット９を接続する接続部をジョイントボックス１３Ｂとしたことにある。なお、ジョイントボックス１３Ｂは、アウトレット９（詳細にはアウトレット９のプラグ１４）を差し込む差込口としてのコンセント１８（図１１参照）を有している。
【００６８】
本実施形態の支柱３Ｅは、図１２に示すように、第１の実施形態と同様にベース部３ａ、ねじ脚３ｂおよび載置台３ｃを備えているが、本実施形態の載置台３ｃの上面に設けた位置決め壁３ｋは、矩形状に形成された載置台３ｃの四隅部に、フロアパネル４の取付穴３ｊを囲むようにＬ字状を成してそれぞれ独立配置されている。そして、図１１に示すように、載置台３ｃの四隅部に配置した位置決め壁３ｋは、載置台３ｃの各辺に沿った方向に所定間隔Ｌをもって配置してあり、それら４箇所の位置決め壁３ｋで囲まれた中央部にジョイントボックス１３Ｂが設置される。
【００６９】
ところで、各位置決め壁３ｋの間に設けられた間隔によって、載置台３ｃの四隅部にそれぞれの角部を載置したフロアパネル１０４は、それぞれ隣接するものの間に隙間が発生することになるが、図１０に示すように、その隙間は第１の蓋１０５によって閉止される。また、各支柱３Ｅを電気的且つ光学的若しくは電気的または光学的に接続する伝送線６ｃは第１の蓋１０５の内方に配設されている。
【００７０】
このとき、本実施形態では縦横に配置した第１の蓋１０５の交差部分は着脱自在な第２の蓋１０６となっており、その第２の蓋１０６によってジョイントボックス１３Ｂの上方が閉止される。そして、第２の蓋１０６およびこれに隣接する第１の蓋１０５を取り外すことにより、ジョイントボックス１３Ｂがフロアパネル４の上面に露出して、アウトレット９を接続できるようになっている。
【００７１】
以上の本実施形態によれば、接続部をジョイントボックス１３Ｂとして支柱３Ｅの上端部に一体に結合し、そのジョイントボックス１３Ｂをフロアパネル４の上面に露出可能としたため、露出したジョイントボックス１３Ｂのコンセント１８に容易にアウトレット９を差し込むことができ、アウトレット９の接続作業が容易になる。
【００７２】
［第４の実施形態］
本発明の第４の実施形態について図面を参照して説明する。図１３は、隣り合う支柱の配置状態を示す平面図、図１４は、隣り合う支柱の配置状態を示す正面図である。
【００７３】
本実施形態のフロアパネルシステム１Ｃは、図１３に示すように、第１の実施形態と同様に複数の支柱３Ｆにフロアパネル４が載置される（図１０参照）。ここで、本実施形態が第１の実施形態と主に異なる点は、図１４に示すように、支柱３Ｆを基礎床２上に載置される電気導体シート（導体シート）６１上に設置し、当該電気導体シート６１上に設置された支柱３Ｆ同士を電気的に接続したことにある。
【００７４】
また、本実施形態の支柱３Ｆは、図１４に示すように、ベース部３ａ、ねじ脚３ｂおよび載置台３ｃと、を備えており、それらが鉄などの金属によって全体的に電気導通体として形成されることにより、ベース部３ａが接触する電気導体シート６１と載置台３ｃとが電気的に導通されている。なお、載置台３ｃは、図１３に示すように、第３の実施形態（図１１参照）と同様に、矩形状に形成された載置台３ｃの四隅部に、フロアパネル４の取付穴３ｊを囲むようにＬ字状を成す位置決め壁３ｋがそれぞれ独立配置され、それら位置決め壁３ｋで囲まれた中央部にジョイントボックス１３Ｃが設置されている。
【００７５】
以上の本実施形態によれば、支柱３Ｆを電気導体シート６１に載置したことにより、その電気導体シート６１を伝送媒体として各支柱３Ｆを電気的に接続できる。これにより、伝送媒体をフロアパネル４に設ける必要が無くなるため、フロアパネル４の構造を簡素化して安価なフロアパネルシステム１Ｃを提供することができる。
【００７６】
［第５の実施形態］
本発明の第５の実施形態について図面を参照して説明する。図１５は、隣り合う支柱の接続状態を示す平面図、図１６は、隣り合う支柱を接続する連結部材の平面図である。
【００７７】
本実施形態のフロアパネルシステム１Ｄは、図１５に示すように、第１の実施形態と同様にフロアパネル４（図１参照）を支柱３Ｇに載置して二重床が構築されるようになっている。また、支柱３Ｇは、第１の実施形態と同様に、ベース部３ａ、ねじ脚３ｂおよび載置台３ｃと、を備えており、それらが鉄などの金属によって全体的に電気導通体として形成されている。
【００７８】
ここで、本実施形態が第１の実施形態と主に異なる点は、２つの支柱（複数の支柱のうち少なくとも２つの支柱）３Ｇ，３Ｇのねじ脚（脚部）３ｂ，３ｂ同士を連結部材１９を介して連結し、連結された支柱３Ｇ，３Ｇ同士を電気的且つ光学的若しくは電気的または光学的に接続したことにある。
【００７９】
連結部材１９は、切欠凹部１９Ｃの形成側が開放する断面コ字状に形成され、その連結部材１９の内面には、図１６に示すように、両端部の切欠凹部１９Ｃに亘って帯板状の伝送線６ｄが長手方向に連続して取り付けられている。また、切欠凹部１９Ｃの両側にも伝送線６ｄが設けられている。
【００８０】
以上の本実施形態によれば、支柱３Ｇのねじ脚３ｂどうしを、それらねじ脚３ｂのねじ部に切欠凹部１９Ｃを係着する連結部材１９で電気的且つ光学的若しくは電気的または光学的に接続したので、伝送媒体をフロアパネル４に設ける必要が無くなるため、フロアパネル４の構造を簡素化して安価なフロアパネルシステム１Ｄを提供することができる。
【００８１】
また、連結部材１９の切欠凹部１９Ｃをねじ脚３ｂのねじ部に単に係着するのみでねじ脚３ｂ同士を連結部材１９を介して連結することが可能となるため、ワンタッチで連結部材１９を取り付けることができ、支柱３Ｇ間の接続作業が容易になる。
【００８２】
［第１の参考例］
第１の参考例について図面を参照して説明する。図１７は、本参考例にかかるフロアパネルシステムを概略的に示す斜視図である。本参考例のフロアパネルシステム２０１の基本的な構造は、第１の実施形態のフロアパネルシステム１と同じである。よって、第１の実施形態との相違点を中心に説明し、第１の実施形態と同じ部分には同一符号を付し重複する説明は省略する。
【００８３】
図１７に示すように、本参考例のフロアパネルシステム２０１は、フロアパネル２０４及び伝送路２０７が、第１の実施形態のフロアパネルシステム１に対して異なる。
【００８４】
具体的には、本参考例では、隣合うフロアパネル２０４の伝送線６同士が、支柱３を介さずに、フロアパネル２０４のコネクタを介して接続され、これらの伝送線６及びコネクタ等によって、フロアパネルシステム２０１内に伝送路２０７が形成される。伝送線６は、フロアパネル２０４の対辺の中央部同士を結ぶようにフロアパネル２０４に設けられており、全体で十字状を成している。伝送路２０７には、第１の実施形態と同様に、伝送物管理装置８やアウトレット９が接続可能となっており、アウトレット９に接続された電気機器（図示せず）と伝送物管理装置８とが伝送路７を介して接続されるようになっている。フロアパネル２０４は、矩形板状に形成されて内部空間を有するパネル本体２０４Ｍを骨格部材として備えており、このパネル本体２０４Ｍ内に伝送線６が設けられている。
【００８５】
このようにフロアパネル２０４のパネル本体２０４Ｍ内に伝送線６を設けることによって、第１の実施形態と同様に、フロアパネル２０４と基礎床２との間の空間５に配設する伝送線を少なくしたり無くすことができる。したがって、フロアパネル２０４のパネル本体２０４Ｍ内に伝送線６を設けずにフロアパネル２０４と基礎床２との間の空間５にだけ伝送線を配設する場合に比べて、フロアパネル２０４と基礎床２との間の空間５の高さを低くすることができ、フロアパネルシステム２０１の床面（上面）を低くすることができる。よって、室内空間の高さを高くして室内を広くすることができる。
【００８６】
また、このようにフロアパネル２０４に伝送線６を一体に設けることによって、第１の実施形態と同様に、フロアパネル２０４に電気機器９９を内蔵してその電気機器９９を伝送線６に接続したり、フロアパネル２０４外の電気機器（図示せず）を伝送線６に接続することができ、これにより、そのフロアパネル２０４に内外の電気機器９９の遠隔制御や使用をすることができる。このような構成の例は、第１の実施形態と同じであるため、説明は省略する。
【００８７】
ここで、フロアパネル２０４の変形例を説明する。以下の各変形例は、フロアパネル２０４に対して、伝送線６の配置が異なり、その他の構成は同じである。
【００８８】
図１８は、本参考例にかかるフロアパネルの第１の変形例を概略的に示す斜視図である。図１８に示す第１の変形例のフロアパネル２０４Ａでは、フロアパネル２０４Ａの一組の対辺の中央部同士を結ぶように伝送線６が設けられており、伝送線６は直線状を成している。
【００８９】
図１９は、本参考例にかかるフロアパネルの第２の変形例を概略的に示す斜視図である。図１９に示す第２の変形例のフロアパネル２０４Ｂでは、フロアパネル２０４Ｂの連続する３辺の中間部分を接続するように伝送線６が設けられており、伝送線６が全体で略Ｖ字状を成している。
【００９０】
図２０は、本参考例にかかるフロアパネルの第３の変形例を概略的に示す斜視図である。図２０に示す第３の変形例のフロアパネル２０４Ｃでは、フロアパネル２０４Ｃの一組の対辺同士を結ぶように一対の伝送線６が相互に平行に設けられている。
【００９１】
図２１は、本参考例にかかるフロアパネルの第４の変形例を概略的に示す斜視図である。図２１に示す第４の変形例のフロアパネル２０４Ｄでは、フロアパネル２０４Ｄの隣合う辺同士を接続するように伝送線６が設けられており、これらの伝送線６は相互に離間して配置されている。
【００９２】
これらの各種のフロアパネル２０４，１０４Ａ，１０４Ｂ，１０４Ｃ，１０４Ｄを組み合わせることにより、フロアパネルシステム２０１の伝送路２０７の経路を多種多様に構築することができる。
【００９３】
［第２の参考例］
次に、本発明の第の参考例について図面を参照して説明する。図２２は、本参考例にかかるフロアパネルシステムを概略的に示す斜視図、図２３は、フロアパネルを概略的に示す斜視図である。なお、第１及び第２の実施形態と同じ部分には同一符号を付して重複する説明は省略する。
【００９４】
図２２に示すように、本参考例のフロアパネルシステム３０１は、置き敷きタイプの矩形のフロアパネル３０４を複数備えており、これらのフロアパネル３０４が基礎床２上に碁盤の目状に直接敷設される。このフロアパネルシステム３０１と基礎床２とによって、二重床が形成される。なお、図２２では、フロアパネル３０４同士の境界部分を太線で示してある。
【００９５】
図２２に示すように、フロアパネル３０４は、矩形板状のパネル本体３１０Ｍを骨格部材として備えている。このパネル本体３１０Ｍには、上面開口の配線用溝３１１が十字状に形成されており、この配線用溝３１１の上面は、着脱可能な蓋３１２で閉塞される。隣合うフロアパネル３０４同士の配線用溝３１１は、相互に連通されており、かかる複数の配線用溝３１１によって、フロアパネルシステム３０１に格子状の溝３１３が形成される。この溝には伝送線６が配設可能となっている。
【００９６】
蓋３１２には、伝送線６が配線用溝３１１の形状に合わせて十字状をなすように設けられている。そして、隣合うフロアパネル３０４における蓋３１２の伝送線６同士は、相互に接続され、これらの蓋３１２内の伝送線６等によって、フロアパネルシステム３０１内に格子状の伝送路３０７が形成される。この伝送路３０７には、第１の実施形態と同様に、伝送物管理装置８やアウトレット９が接続可能となっており、アウトレット９に接続された電気機器（図示せず）と伝送物管理装置８とが伝送路３０７を介して接続されるようになっている。フロアパネルシステム３０１が伝送路３０７によって伝送する伝送物は、第１の実施形態と同じである。
【００９７】
このように、本参考例では、フロアパネル３０４の蓋３１２内に伝送線６が設けられていることにより、フロアパネル３０４を基礎床２に直接敷設しても、フロアパネルシステム３０１内に伝送路３０７が形成されるので、フロアパネル３０４の下面と基礎床２との間に配線用の空間を形成する必要がなく、その分、フロアパネルシステム３０１の床面（上面）を低くすることができる。よって、室内空間の高さを高くして室内を広くすることができる。なお、このような効果は、例えば、第２の実施形態のフロアパネル３０４を支柱３を介さずに直接基礎床２に敷設することでも得ることができる。また、第１の実施形態のフロアパネル４を支柱３を介さずに直接基礎床２に敷設して、隣合うフロアパネル４の伝送線６同士を接続部材によって接続することによっても、上記と同じ効果を得ることができる。
【００９８】
また、このようにフロアパネル３０４に伝送線６を一体に設けることによって、第１の実施形態と同様に、フロアパネル３０４に電気機器９９を内蔵してその電気機器９９を伝送線６に接続したり、フロアパネル３０４外の電気機器（図示せず）を伝送線６に接続することができ、これにより、そのフロアパネル３０４内外の電気機器９９の遠隔制御や使用をすることができる。このような構成の例は、第１の実施形態と同じであるため、説明は省略する。
【００９９】
なお、本発明は、上記実施形態に限ることなく本発明の要旨を逸脱しない範囲で他の実施形態を各種採用することができる。例えば、第１及び第２の実施形態では、フロアパネルとして、パネル本体４Ｍ内に伝送線６が設けられたものを説明したが、これに限ることなく、フロアパネルとしては、伝送線６がパネル本体４Ｍの外側に配置されてパネル本体４Ｍに一体に設けられたものであっても良い。例えば、パネル本体４Ｍの下面に沿って伝送線６が設けられていても良い。
【０１００】
また、第１及び第２の実施形態のパネル本体４Ｍ内に、例えばモルタル等の充填物を充填しても良い。
【０１０１】
また、第３の実施形態では、フロアパネルとして、第１の蓋１０５内に伝送線６ｃが設けられたものを説明したが、これに限ることなく、フロアパネルとしては、伝送線６ｃが第１の蓋１０５の外側に配置されてその第１の蓋１０５に一体に設けられたものであっても良い。例えば、第１の蓋１０５の下面に沿って伝送線６が設けられていても良い。
【図面の簡単な説明】
【０１０２】
【図１】本発明の第１の実施形態にかかるフロアパネルシステムを概略的に示す斜視図である。
【図２】本発明の第１の実施形態にかかる支柱とアウトレットとの接続部分を示す拡大斜視図である。
【図３】本発明の第１の実施形態にかかるアウトレットを接続する接続部の第１の変形例を示す斜視図である。
【図４】本発明の第１の実施形態にかかるアウトレットを接続する接続部の第２の変形例を示す斜視図である。
【図５】本発明の第１の実施形態にかかるフロアパネルの第１の変形例を概略的に示す平面図である。
【図６】本発明の第１の実施形態にかかるフロアパネルの第２の変形例を概略的に示す平面図である。
【図７】本発明の第１の実施形態にかかるフロアパネルの第３の変形例を概略的に示す平面図である。
【図８】本発明の第２の実施形態にかかるフロアパネルシステムの隣り合う支柱どうしを電気的に接続する構造を（ａ）の正面図と（ｂ）の平面図とによって概略的に示す説明図である。
【図９】本発明の第２の実施形態に示したストリンガーの変形例を示し、同図（ａ）はストリンガーと支柱との分解斜視図、同図（ｂ）は（ａ）中Ａ−Ａ線に沿った拡大断面図である。
【図１０】本発明の第３の実施形態にかかるフロアパネルシステムを概略的に示す平面図である。
【図１１】本発明の第３の実施形態にかかるフロアパネルシステムの支柱の拡大平面図である。
【図１２】本発明の第３の実施形態にかかるフロアパネルシステムの支柱の拡大正面図である。
【図１３】本発明の第４の実施形態にかかるフロアパネルシステムの隣り合う支柱の配置状態を示す平面図である。
【図１４】本発明の第４の実施形態にかかるフロアパネルシステムの隣り合う支柱の配置状態を示す正面図である。
【図１５】本発明の第５の実施形態にかかるフロアパネルシステムの隣り合う支柱の接続状態を示す平面図である。
【図１６】本発明の第５の実施形態にかかるフロアパネルシステムの隣り合う支柱を接続する連結部材の平面図である。
【図１７】第１の参考例にかかるフロアパネルシステムを概略的に示す斜視図である。
【図１８】第１の参考例にかかるフロアパネルの第１の変形例を概略的に示す斜視図である。
【図１９】第１の参考例にかかるフロアパネルの第２の変形例を概略的に示す斜視図である。
【図２０】第１の参考例にかかるフロアパネルの第３の変形例を概略的に示す斜視図である。
【図２１】第１の参考例にかかるフロアパネルの第４の変形例を概略的に示す斜視図である。
【図２２】第２の参考例にかかるフロアパネルシステムを概略的に示す斜視図である。
【図２３】第２の参考例にかかるフロアパネルを概略的に示す斜視図である。
【符号の説明】
【０１０３】
１、１Ａ、１Ｂ、１Ｃ、１Ｄ、２０１、３０１  フロアパネルシステム
２  基礎床
３、３Ａ、３Ｂ、３Ｃ、３Ｄ、３Ｅ、３Ｆ、３Ｇ  支柱
３ｂ  ねじ脚（脚部）
３ｃ  載置台（導通部）
３１  接続凹部（接続部）
３２  角部（接続部）
４、４Ａ、４Ｂ、４Ｃ、１０４、２０４、２０４Ａ、２０４Ｂ、２０４Ｃ、２０４Ｄ、３０４  フロアパネル
５  空間（床下空間）
６、６ａ、６ｂ、６ｃ、６ｄ  伝送線（伝送媒体）
６１  電気導体シート（導体シート）
７、２０７、３０７  伝送路
９  アウトレット（外部接続機器）
１２  ストリンガー（第１のストリンガー）
１２Ａ  ストリンガー（第２のストリンガー）
１３Ａ、１３Ｂ、１３Ｃ  ジョイントボックス（接続部）
１９  連結部材
【図１】
2010106469.tif 000003
【図２】
2010106469.tif 000004
【図３】
2010106469.tif 000005
【図４】
2010106469.tif 000006
【図５】
2010106469.tif 000007
【図６】
2010106469.tif 000008
【図７】
2010106469.tif 000009
【図８】
2010106469.tif 000010
【図９】
2010106469.tif 000011
【図１０】
2010106469.tif 000012
【図１１】
2010106469.tif 000013
【図１２】
2010106469.tif 000014
【図１３】
2010106469.tif 000015
【図１４】
2010106469.tif 000016
【図１５】
2010106469.tif 000017
【図１６】
2010106469.tif 000018
【図１７】
2010106469.tif 000019
【図１８】
2010106469.tif 000020
【図１９】
2010106469.tif 000021
【図２０】
2010106469.tif 000022
【図２１】
2010106469.tif 000023
【図２２】
2010106469.tif 000024
【図２３】
2010106469.tif 000025